(57)【要約】【課題】デバイス依存色空間上のデータをデバイス非依存色空間上のデータに変換するための変換情報として、より高精度の変換を行えるものを作成する。【解決手段】画像データ受付部１２は、特性把握チャート１００を構成する複数のカラーパッチを読み取ることにより生成されたデバイス依存色空間上の複数の読み取りデータを受け付ける。測定データ受付部１３は、当該複数のカラーパッチに対する測色により生成されたデバイス非依存色空間上の複数の基準データを受け付ける。チャートデータ記憶部１１には、各カラーパッチに含まれる特定色成分を表すチャートレイアウト情報が記憶されている。色変換情報作成部１６は、複数の読み取りデータ、複数の基準データ及びチャートレイアウト情報を利用して、デバイス依存色空間上のデータをデバイス非依存色空間上のデータに変換するための変換情報を作成する。【選択図】図１
2015073152.tif 000002
【特許請求の範囲】
【請求項１】
複数のカラーパッチを読み取ることによって生成されたデバイス依存色空間上の複数の読み取りデータと、前記複数のカラーパッチについてのデバイス非依存色空間上の複数の基準データと、前記複数のカラーパッチにおけるカラーパッチ毎の特定色成分を表す複数の特定色成分データと、を受け付ける受付手段と、
前記複数の読み取りデータ、前記複数の基準データ及び前記複数の特定色成分データに基づいて、前記デバイス依存色空間上の入力データを前記デバイス非依存色空間上の出力データに変換するための情報として、前記各カラーパッチに含まれる特定色成分の有無又は量が反映された変換情報を作成する変換情報作成手段と、
を有することを特徴とする画像処理装置。
【請求項２】
前記各特定色成分データは、前記各カラーパッチを作成する際に用いられた各元データに含まれるデータである、
ことを特徴とする請求項１に記載の画像処理装置。
【請求項３】
前記複数のカラーパッチは、特定色成分を含んでいる第１カラーパッチ群と、特定色成分を含んでいない第２カラーパッチ群と、により構成され、
前記複数の読み取りデータは、前記第１カラーパッチ群を読み取ることによって生成された第１読み取りデータ群と、前記第２カラーパッチ群を読み取ることによって生成された第２読み取りデータ群と、により構成され、
前記複数の基準データは、前記第１カラーパッチ群に対応する第１基準データ群と、前記第２カラーパッチ群に対応する第２基準データ群と、により構成され、
前記変換情報作成手段は、
前記複数の特定色成分データに従って、前記第１読み取りデータ群と前記第２読み取りデータ群とを識別し、かつ、前記第１基準データ群と前記第２基準データ群とを識別する識別手段と、
前記第１読み取りデータ群と前記第１基準データ群とに基づいて第１変換情報を作成する第１変換情報作成手段と、
前記第２読み取りデータ群と前記第２基準データ群とに基づいて第２変換情報を作成する第２変換情報作成手段と、
を含み、
前記入力データを前記出力データに変換するための前記変換情報として前記第１変換情報及び前記第２変換情報が利用される、
ことを特徴とする請求項１又は請求項２に記載の画像処理装置。
【請求項４】
前記変換情報を利用して前記入力データを前記出力データに変換する変換手段を更に有し、
前記変換手段は、
前記入力データが特定色成分を含む場合に、前記第１変換情報を用いて前記入力データを前記出力データに変換する手段と、
前記入力データが特定色成分を含まない場合に、前記第２変換情報を用いて前記入力データを前記出力データに変換する手段と、
を含む、
ことを特徴とする請求項３に記載の画像処理装置。
【請求項５】
前記変換情報作成手段は、前記第１変換情報と前記第２変換情報とをカラーパッチ単位で評価し、その評価結果に基づいて前記第１変換情報及び前記第２変換情報を統合することにより統合変換情報を作成する統合変換情報作成手段を更に有し、
前記統合変換情報により前記入力データが前記出力データに変換される、
ことを特徴とする請求項３に記載の画像処理装置。
【請求項６】
前記統合変換情報作成手段は、
カラーパッチの読み取りデータを前記第１変換情報によって変換することで生成された出力データと、当該カラーパッチについての前記デバイス非依存色空間上の基準データと、の間の第１差分を求め、当該カラーパッチの読み取りデータを前記第２変換情報によって変換することで生成された出力データと、当該カラーパッチの前記基準データとの間の第２差分を求め、前記第１差分及び前記第２差分を評価する評価手段と、
前記評価手段の評価結果に基づいて、カラーパッチ単位で前記第１変換情報及び前記第２変換情報のいずれかを前記統合変換情報の要素として選択する統合手段と、
を含むことを特徴とする請求項５に記載の画像処理装置。
【請求項７】
前記変換情報生成手段は、カラーパッチ毎に、前記各読み取りデータに対して前記各特定色成分データを付加することにより構成される拡張データセットと、前記各基準データと、を対応づけることにより前記変換情報を作成する、
ことを特徴とする請求項１に記載の画像処理装置。
【請求項８】
単位画像毎に前記特定色成分データが管理されている対象画像を読み取ることによって生成された単位画像毎の読み取りデータに、前記特定色成分データを付加することで拡張入力データを生成し、前記変換情報を用いて前記拡張入力データを前記出力データに変換する変換手段を更に有する、
ことを特徴とする請求項７に記載の画像処理装置。
【請求項９】
前記特定色成分はブラック成分である、
ことを特徴とする請求項１から請求項８のいずれか一項に記載の画像処理装置。
【請求項１０】
コンピュータに、
複数のカラーパッチを読み取ることによって生成されたデバイス依存色空間上の複数の読み取りデータと、前記複数のカラーパッチについてのデバイス非依存色空間上の複数の基準データと、前記複数のカラーパッチにおけるカラーパッチ毎の特定色成分を表す複数の特定色成分データと、を受け付けるステップと、
前記複数の読み取りデータ、前記複数の基準データ及び前記複数の特定色成分データに基づいて、前記デバイス依存色空間上の入力データを前記デバイス非依存色空間上の出力データに変換するための情報として、前記各カラーパッチに含まれる特定色成分の有無又は量が反映された変換情報を作成するステップと、
を実行させることを特徴とするプログラム。
【発明の詳細な説明】
【技術分野】
【０００１】
本発明は、画像処理装置及びプログラムに関する。
【背景技術】
【０００２】
画像処理装置には、スキャナ等の画像読取装置によって生成されたデータ（デバイスに依存する色空間上のデータ）を、デバイスに依存しない色空間上のデータに変換するものがある。このような変換を行うための変換情報は、次のようにして作成される。まず、複数のカラーパッチを画像読取装置によって読み取ることで、デバイス依存色空間上の複数のデータを生成し、当該複数のカラーパッチを測色することで、デバイス非依存色空間上の複数のデータを生成する。そして、デバイス依存色空間上の複数のデータとデバイス非依存色空間上の複数のデータとに基づいて、デバイス依存色空間上のデータをデバイス非依存色空間上のデータに変換するための変換情報を作成する。
【０００３】
特許文献１には、レッド（Ｒ）、グリーン（Ｇ）及びブルー（Ｂ）の組み合わせで表されるデータ（ＲＧＢデータ）を、デバイスに依存しない色空間（例えばＬ＊ａ＊ｂ色空間）上のデータ（Ｌａｂデータ）に変換するための色変換パラメータを決定する画像処理装置が開示されている。具体的には、スキャナによってカラーパッチを読み取ることでＲＧＢデータを生成し、そのＲＧＢデータを色変換パラメータを用いてＬａｂデータに変換する。そして、カラーパッチを測色することで得られたＬａｂデータと、色変換パラメータを用いることで得られたＬａｂデータと、の色差を求め、その色差がスキャナで扱える色の範囲を超えている場合、そのカラーパッチを除外する。こうして除外されたカラーパッチ以外のカラーパッチを利用することで、色変換パラメータを再度作成する。そして、色差が最小となるように、上記の処理を繰り返し行う。
【先行技術文献】
【特許文献】
【０００４】
【特許文献１】特開９−６９５６号公報
【発明の概要】
【発明が解決しようとする課題】
【０００５】
ところで、変換情報を作成するためのカラーパッチにブラック成分（Ｋ色成分）が含まれている場合、そのカラーパッチを読み取ることで生成されたデバイス依存色空間上のデータ（例えばＲＧＢデータ）と、そのカラーパッチのデバイス非依存色空間上のデータ（例えばＬａｂデータ）と、は必ずしも１対１に対応しておらず、そのようなＲＧＢデータとＬａｂデータとを用いて作成された変換情報の精度は低下してしまい、その結果、ＲＧＢデータからＬａｂデータへの変換の精度が低下してしまう問題がある。
【０００６】
ここで、変換情報の精度の低下について説明する。例えば、色材としてシアン（Ｃ）、マゼンダ（Ｍ）、イエロー（Ｙ）及びブラック（Ｋ）を用いてカラーパッチを形成する場合、ＣＭＹ色成分の量を変えた場合であってもＫ色成分の量を変えることで、同一色（Ｌａｂの値が同じ値の色）のカラーパッチが形成される。すなわち、Ｌａｂの値が同一となる複数の異なるＣＭＹＫデータが存在することになる。従って、ＣＭＹＫの各色成分の量を変えて複数のカラーパッチを形成した場合、当該複数のカラーパッチの中には、ＣＭＹＫの組み合わせが異なる同一色のカラーパッチが含まれることがある。そのようなカラーパッチを読み取ることでＲＧＢデータを生成すると、Ｌａｂの値が同一となる複数の異なるＲＧＢデータが生成されることになる。このように、Ｋ色成分を含むカラーパッチを読み取ることで生成されたＲＧＢデータと当該カラーパッチのＬａｂデータとは常に１対１に対応しているわけではなく、Ｌａｂの値が同一となる複数の異なるＲＧＢデータが存在するため、そのようなＲＧＢデータとＬａｂデータとを用いて作成された変換情報の精度は低下してしまうことになる。このように、Ｋ色成分を含む色域では、変換情報の精度が低下し、その変換情報を用いたデータ変換の精度が低下してしまう問題がある。なお、上記においては、Ｋ色成分に起因する問題について記載したが、他の特定色成分においても同様の問題が生じ得る。
【０００７】
本発明の目的は、デバイス依存色空間上のデータをデバイス非依存色空間上のデータに変換するための変換情報として、より高精度の変換を行えるものを提供することである。
【課題を解決するための手段】
【０００８】
請求項１に係る発明は、複数のカラーパッチを読み取ることによって生成されたデバイス依存色空間上の複数の読み取りデータと、前記複数のカラーパッチについてのデバイス非依存色空間上の複数の基準データと、前記複数のカラーパッチにおけるカラーパッチ毎の特定色成分を表す複数の特定色成分データと、を受け付ける受付手段と、前記複数の読み取りデータ、前記複数の基準データ及び前記複数の特定色成分データに基づいて、前記デバイス依存色空間上の入力データを前記デバイス非依存色空間上の出力データに変換するための情報として、前記各カラーパッチに含まれる特定色成分の有無又は量が反映された変換情報を作成する変換情報作成手段と、を有することを特徴とする画像処理装置である。
【０００９】
請求項２に係る発明は、前記各特定色成分データは、前記各カラーパッチを作成する際に用いられた各元データに含まれるデータである、ことを特徴とする請求項１に記載の画像処理装置である。
【００１０】
請求項３に係る発明は、前記複数のカラーパッチは、特定色成分を含んでいる第１カラーパッチ群と、特定色成分を含んでいない第２カラーパッチ群と、により構成され、前記複数の読み取りデータは、前記第１カラーパッチ群を読み取ることによって生成された第１読み取りデータ群と、前記第２カラーパッチ群を読み取ることによって生成された第２読み取りデータ群と、により構成され、前記複数の基準データは、前記第１カラーパッチ群に対応する第１基準データ群と、前記第２カラーパッチ群に対応する第２基準データ群と、により構成され、前記変換情報作成手段は、前記複数の特定色成分データに従って、前記第１読み取りデータ群と前記第２読み取りデータ群とを識別し、かつ、前記第１基準データ群と前記第２基準データ群とを識別する識別手段と、前記第１読み取りデータ群と前記第１基準データ群とに基づいて第１変換情報を作成する第１変換情報作成手段と、前記第２読み取りデータ群と前記第２基準データ群とに基づいて第２変換情報を作成する第２変換情報作成手段と、を含み、前記入力データを前記出力データに変換するための前記変換情報として前記第１変換情報及び前記第２変換情報が利用される、ことを特徴とする請求項１又は請求項２に記載の画像処理装置である。
【００１１】
請求項４に係る発明は、前記変換情報を利用して前記入力データを前記出力データに変換する変換手段を更に有し、前記変換手段は、前記入力データが特定色成分を含む場合に、前記第１変換情報を用いて前記入力データを前記出力データに変換する手段と、前記入力データが特定色成分を含まない場合に、前記第２変換情報を用いて前記入力データを前記出力データに変換する手段と、を含む、ことを特徴とする請求項３に記載の画像処理装置である。
【００１２】
請求項５に係る発明は、前記変換情報作成手段は、前記第１変換情報と前記第２変換情報とをカラーパッチ単位で評価し、その評価結果に基づいて前記第１変換情報及び前記第２変換情報を統合することにより統合変換情報を作成する統合変換情報作成手段を更に有し、前記統合変換情報により前記入力データが前記出力データに変換される、ことを特徴とする請求項３に記載の画像処理装置である。
【００１３】
請求項６に係る発明は、前記統合変換情報作成手段は、カラーパッチの読み取りデータを前記第１変換情報によって変換することで生成された出力データと、当該カラーパッチについての前記デバイス非依存色空間上の基準データと、の間の第１差分を求め、当該カラーパッチの読み取りデータを前記第２変換情報によって変換することで生成された出力データと、当該カラーパッチの前記基準データとの間の第２差分を求め、前記第１差分及び前記第２差分を評価する評価手段と、前記評価手段の評価結果に基づいて、カラーパッチ単位で前記第１変換情報及び前記第２変換情報のいずれかを前記統合変換情報の要素として選択する統合手段と、を含むことを特徴とする請求項５に記載の画像処理装置である。
【００１４】
請求項７に係る発明は、前記変換情報生成手段は、カラーパッチ毎に、前記各読み取りデータに対して前記各特定色成分データを付加することにより構成される拡張データセットと、前記各基準データと、を対応づけることにより前記変換情報を作成する、ことを特徴とする請求項１に記載の画像処理装置である。
【００１５】
請求項８に係る発明は、単位画像毎に前記特定色成分データが管理されている対象画像を読み取ることによって生成された単位画像毎の読み取りデータに、前記特定色成分データを付加することで拡張入力データを生成し、前記変換情報を用いて前記拡張入力データを前記出力データに変換する変換手段を更に有する、ことを特徴とする請求項７に記載の画像処理装置である。
【００１６】
請求項９に係る発明は、前記特定色成分はブラック成分である、ことを特徴とする請求項１から請求項８のいずれか一項に記載の画像処理装置である。
【００１７】
請求項１０に係る発明は、コンピュータに、複数のカラーパッチを読み取ることによって生成されたデバイス依存色空間上の複数の読み取りデータと、前記複数のカラーパッチについてのデバイス非依存色空間上の複数の基準データと、前記複数のカラーパッチにおけるカラーパッチ毎の特定色成分を表す複数の特定色成分データと、を受け付けるステップと、前記複数の読み取りデータ、前記複数の基準データ及び前記複数の特定色成分データに基づいて、前記デバイス依存色空間上の入力データを前記デバイス非依存色空間上の出力データに変換するための情報として、前記各カラーパッチに含まれる特定色成分の有無又は量が反映された変換情報を作成するステップと、を実行させることを特徴とするプログラムである。
【発明の効果】
【００１８】
請求項１，１０に係る発明によると、特定色成分を考慮せずに作成された変換情報を用いて変換を行う場合と比較して、変換精度が高められる。
【００１９】
請求項２に係る発明によると、カラーパッチを作成する際に用いられた元データを利用することで、変換精度が高められる。
【００２０】
請求項３に係る発明によると、特定色成分の有無に応じて第１変換情報及び第２変換情報が作成され、それらを利用することで変換精度が高められる。
【００２１】
請求項４に係る発明によると、第１変換情報及び第２変換情報を選択的に利用できるので、特定色成分を考慮しないで作成された単一の変換情報を利用する場合と比べて、変換精度が高められる。
【００２２】
請求項５に係る発明によると、第１変換情報及び第２変換情報を評価した上でそれらを統合した統合変換情報を作成し、それを利用して変換を行うことができるので、特定色成分を考慮しないで作成された単一の変換情報を利用する場合と比べて、変換精度が高められる。また、変換時において第１変換情報及び第２変換情報を選択することが不要となる。
【００２３】
請求項６に係る発明によると、第１変換情報及び第１変換情報のうちより精度が高い情報を用いて変換情報が作成される。
【００２４】
請求項７に係る発明によると、変換情報における入出力関係において、入力側に特定色成分データが付加されるので、入力側情報を増やして変換精度が高められる。
【００２５】
請求項８に係る発明によると、読み取りデータに特定色成分データを付加せずに変換を行う場合と比較して、変換精度が高められる。
【００２６】
請求項９に係る発明によると、カラーパッチに含まれる特定色成分がブラック成分の場合であっても、本発明の構成を備えていない場合と比較して、変換精度が高められる。
【図面の簡単な説明】
【００２７】
【図１】第１実施形態に係る画像処理装置（色変換情報作成装置）の一例を示すブロック図である。
【図２】第１実施形態に係る色変換情報作成処理の一例を示すフローチャートである。
【図３】第１実施形態に係る色変換情報作成処理の一例を示すフローチャートである。
【図４】第１実施形態に係る画像処理装置（色変換装置）の一例を示すブロック図である。
【図５】第１実施形態に係る色変換処理の一例を示すフローチャートである。
【図６】第１実施形態に係る色変換処理の一例を示すフローチャートである。
【図７】第２実施形態に係る画像処理装置（色変換情報作成装置）の一例を示すブロック図である。
【図８】第２実施形態に係る色変換情報作成処理の一例を示すフローチャートである。
【図９】第２実施形態に係る色変換情報作成処理の一例を示すフローチャートである。
【図１０】第２実施形態に係る評価処理の一例を示すフローチャートである。
【図１１】第２実施形態に係る画像処理装置（色変換装置）の一例を示すブロック図である。
【図１２】第２実施形態に係る色変換処理の一例を示すフローチャートである。
【図１３】第３実施形態に係る画像処理装置（色変換情報作成装置）の一例を示すブロック図である。
【図１４】第３実施形態に係る色変換情報作成処理の一例を示すフローチャートである。
【図１５】第３実施形態に係る色変換情報作成処理の一例を示すフローチャートである。
【図１６】第３実施形態に係る画像処理装置（色変換装置）の一例を示すブロック図である。
【図１７】第３実施形態に係る色変換処理の一例を示すフローチャートである。
【発明を実施するための形態】
【００２８】
［第１実施形態］
本発明の第１実施形態について説明する。図１に、本発明の第１実施形態に係る画像処理装置（色変換情報作成装置）の一例を示す。第１実施形態に係る画像処理装置１０（色変換情報作成装置）は、画像読取装置等のデバイスに依存する色空間（デバイス依存色空間）上のデータを、デバイスに依存しない色空間（デバイス非依存色空間）上のデータに変換するための色変換情報を作成する。
【００２９】
まず、色変換情報を作成するために用いられる特性把握チャート１００について説明する。特性把握チャート１００には、それぞれ色が異なる複数のカラーパッチが形成されている。各カラーパッチは、図示しないプリンタ等の画像形成装置によって形成されたものであり、一例として、シアン（Ｃ）、マゼンダ（Ｍ）、イエロー（Ｙ）及びブラック（Ｋ）の任意の組み合わせに応じた画像である。典型的には１つのカラーパッチが矩形の小画像（均一色の印刷部分）として構成される。例えば、画像形成装置は、ＣＭＹＫの各色成分の量を０〜１００％の間で変えて印刷することで、複数のカラーパッチを形成する。ＣＭＹＫの組み合わせの数（カラーパッチの数）は任意であってもよいが、数が多いほど色変換情報の精度が向上する。なお、複数のカラーパッチの中には、測色値（Ｌ＊ａ＊ｂ＊の値）が同一であるがＣＭＹＫの量が異なるカラーパッチが含まれていてもよい。
【００３０】
画像読取装置２０は、例えばスキャナやデジタルカメラ等の読み取りデバイスであり、特性把握チャート１００に形成された各カラーパッチを読み取ることで各カラーパッチの画像データを生成する。画像読取装置２０によって生成される画像データは、デバイス依存色空間上のデータである。本実施形態では、一例として、画像読取装置２０は、レッド（Ｒ）、グリーン（Ｇ）及びブルー（Ｂ）の組み合わせで表されるデータ（ＲＧＢデータ）を生成する。なお、デバイス依存色空間上のデータとして、ＲＧＢデータ以外のデータが用いられてもよい。
【００３１】
測色器２１は、特性把握チャート１００に形成されたカラーパッチを測色し、各カラーパッチの測色値（測定データ）を出力する。この測色値は、デバイス非依存色空間（例えばＬ＊ａ＊ｂ＊色空間）上のデータ（Ｌ＊ａ＊ｂデータ）である。以下の説明では、「Ｌ＊ａ＊ｂ＊データ」を、「Ｌａｂデータ」と略す。なお、デバイス非依存色空間上のデータとして、Ｌａｂデータ以外のデータが用いられてもよい。通常、測色器２１が用いられるが、特性把握チャート１００に対応して予め用意されたデータを基準データとして利用してもよい。
【００３２】
次に、第１実施形態に係る画像処理装置１０について説明する。画像処理装置１０は、チャートデータ記憶部１１と、画像データ受付部１２と、測定データ受付部１３と、特定色量判定部１４と、データ分類部１５と、色変換情報作成部１６と、色変換情報記憶部１７とを含む。なお、画像処理装置１０は、画像読取装置２０に含まれていてもよい。
【００３３】
チャートデータ記憶部１１は、チャートレイアウト情報を記憶する。このチャートレイアウト情報は、特性把握チャート１００の各カラーパッチについての特定色成分の有無を示す情報、又は、各カラーパッチについての特定色成分の量を示す情報である。特定色成分は、一例としてブラック成分（Ｋ色成分）である。但し、特定色成分はＫ色成分に限らず、ホワイト成分、メタリック色成分、グレー成分、ライトマゼンダ成分又はライトシアン成分等であってもよい。また、複数の特定色成分が用いられてもよい。例えば、カラーパッチが、ＣＭＹＫ色成分にホワイト成分（Ｗ成分）を加えたＣＭＹＫＷ色成分によって形成されてもよい。チャートレイアウト情報は、例えば、特性把握チャート１００を作成する段階において生成される。例えば、特定の印刷システムを用いて特性把握チャート１００が作成される場合、その特性把握チャート１００の元データの一部(例えばＫ色成分、つまりＫ版)を利用してチャートレイアウト情報が作成される。そのようなシステムで作成されたチャートレイアウト情報は、図示されていない受付部を介してチャートデータ記憶部１１に記憶される。なお、画像処理装置１０が特性把握チャート１００を印刷する機能を備えている場合、上記同様に元データの一部（例えばＫデータ）がチャートレイアウト情報としてチャートデータ記憶部１１に記憶される。
【００３４】
画像データ受付部１２は、画像読取装置２０によって生成された、各カラーパッチの画像データ（ＲＧＢデータ）を受け付ける。
【００３５】
測定データ受付部１３は、測色器２１によって測定された、各カラーパッチの測定データ（Ｌａｂデータ）を受け付ける。
【００３６】
特定色量判定部１４は、チャートデータ記憶部１１に記憶されたチャートレイアウト情報を参照することで、画像データ受付部１２によって取得されたＲＧＢデータ（カラーパッチ）について、Ｋ色成分の有無を判定する。同様に、特定色量判定部１４は、チャートレイアウト情報を参照することで、測定データ受付部１３によって取得されたＬａｂデータ（カラーパッチ）について、Ｋ色成分の有無を判定する。Ｋ色成分の有無の判定は、カラーパッチ毎に実行される。
【００３７】
データ分類部１５は、Ｋ色成分入りのカラーパッチのＲＧＢデータ及びＬａｂデータをＫ色成分入りのグループに分類し、Ｋ色成分無しのカラーパッチのＲＧＢデータ及びＬａｂデータをＫ色成分無しのグループに分類する。
【００３８】
色変換情報作成部１６は、Ｋ色成分入りの複数のＲＧＢデータとＫ色成分入りの複数のＬａｂデータとに基づいて、ＲＧＢデータをＬａｂデータに変換するための第１色変換情報（Ｋ入り色変換情報）を作成する。また、色変換情報作成部１６は、Ｋ色成分無しの複数のＲＧＢデータとＫ色成分無しの複数のＬａｂデータとに基づいて、ＲＧＢデータをＬａｂデータに変換するための第２色変換情報（Ｋ無し色変換情報）を作成する。
【００３９】
色変換情報は、ＲＧＢデータとＬａｂデータとの間の変換特性を示す関数（色変換モデル）であってもよいし、ルックアップテーブル（ＬＵＴ）等のテーブルであってもよい。色変換モデルには、例えば高次多項式やニューラルネットワーク等が用いられる。例えば、色変換情報作成部１６は、複数のＲＧＢデータと複数のＬａｂデータとのデータセットを教師データとしてニューラルネットワークに学習させ、色変換モデルを求める。また、色変換情報作成部１６は、色変換モデルを用いて、任意の格子点におけるＲＧＢデータとＬａｂデータとの対応関係を示すＬＵＴを作成してもよい。
【００４０】
色変換情報記憶部１７は、第１色変換情報（Ｋ入り色変換情報）と第２色変換情報（Ｋ無し色変換情報）とを記憶する。
【００４１】
次に、図２及び図３に示すフローチャートを参照して、第１実施形態に係る画像処理装置１０（色変換情報作成装置）の動作について説明する。
【００４２】
まず、画像読取装置２０が、特性把握チャート１００に形成された各カラーパッチを読み取ることで、各カラーパッチのＲＧＢデータを生成する（Ｓ０１）。画像データ受付部１２は、各カラーパッチのＲＧＢデータを画像読取装置２０から取得する。
【００４３】
また、測色器２１が、特性把握チャート１００に形成された各カラーパッチを測色する（Ｓ０２）。測定データ受付部１３は、各カラーパッチのＬａｂデータを測色器２１から取得する。
【００４４】
特定色量判定部１４は、チャートレイアウト情報を参照することで、ＲＧＢデータ及びＬａｂデータ（カラーパッチ）について、Ｋ色成分の有無を判定する（Ｓ０３）。カラーパッチにＫ色成分が含まれている場合（Ｓ０４，Ｙｅｓ）、データ分類部１５は、当該カラーパッチのＲＧＢデータ及びＬａｂデータを、Ｋ色成分入りのグループに分類する（Ｓ０５）。カラーパッチにＫ色成分が含まれていない場合（Ｓ０４，Ｎｏ）、データ分類部１５は、当該カラーパッチのＲＧＢデータ及びＬａｂデータを、Ｋ色成分無しのグループに分類する（Ｓ０６）。画像処理装置１０は、画像読取装置２０によって読み取られた全カラーパッチについて、ステップＳ０３〜Ｓ０６の処理を行う。
【００４５】
全カラーパッチについてステップＳ０３〜Ｓ０６の処理が終了した場合（Ｓ０７，Ｙｅｓ）、色変換情報作成部１６は、複数のＲＧＢデータと複数のＬａｂデータとに基づいて、ＲＧＢデータをＬａｂデータに変換するための色変換情報を作成する（Ｓ０８）。具体的には、色変換情報作成部１６は、Ｋ色成分入りの複数のＲＧＢデータとＫ色成分入りの複数のＬａｂデータとに基づいて、ＲＧＢデータをＬａｂデータに変換するためのＫ入り色変換情報（第１色変換情報）を作成する。また、色変換情報作成部１６は、Ｋ色成分無しの複数のＲＧＢデータとＫ色成分無しのＬａｂデータとに基づいて、ＲＧＢデータをＬａｂデータに変換するためのＫ無し色変換情報（第２色変換情報）を作成する。そして、色変換情報記憶部１７は、Ｋ入り色変換情報とＫ無し色変換情報とを記憶する。
【００４６】
以上のように、Ｋ入り色変換情報とＫ無し色変換情報とを分けて作成することで、Ｋ色成分入りのデータ（ＲＧＢデータ及びＬａｂデータ）と、Ｋ色成分無しのデータ（ＲＧＢデータ及びＬａｂデータ）と、を一緒にして色変換情報を作成する場合と比較して、より精度の高い色変換情報が作成される。従来においては、特性把握チャート１００の読み取り結果及び測色結果だけから変換情報が生成されていたが、第１実施形態によれば、物理的な特性把握チャート１００とは別に用意された電子的なチャートレイアウト情報（Ｋ色成分情報）も考慮して、データ変換のための情報が作成される。よって、Ｋ色成分の有無に起因する変換精度低下の問題が解決又は解消される。換言すれば、変換精度が従来よりも高められた変換情報が作成される。
【００４７】
ここで、色変換精度の精度について説明する。Ｋ色成分無しのＲＧＢデータとＫ色成分無しのＬａｂデータとは、１対１に対応し、線形の対応関係を有する。すなわち、１つのＫ色成分無しのＬａｂデータを表すＲＧＢデータは１つのみ存在する。一方、Ｋ色成分入りのＲＧＢデータとＫ色成分入りのＬａｂデータとは、１対１に対応せず、非線形の対応関係を有する。従って、Ｋ色成分無しのＲＧＢデータとＫ色成分無しのＬａｂデータとを用いて作成されたＫ無し色変換情報は、Ｋ色成分入りのＲＧＢデータとＫ色成分入りのＬａｂデータとを用いて作成されたＫ入り色変換情報よりも精度が高くなる。
【００４８】
仮に、Ｋ色成分入りのデータ（ＲＧＢデータ及びＬａｂデータ）とＫ色成分無しのデータ（ＲＧＢデータ及びＬａｂデータ）とを区別せずに一緒にして変換情報を作成した場合、Ｋ色成分入りのＲＧＢデータとＫ色成分入りのＬａｂデータとの対応関係は非線形であるため、変換情報の全体の精度が低下してしまう。この場合、Ｋ色成分無しのＲＧＢデータとＫ色成分無しのＬａｂデータとは元々線形の対応関係を有していたにも関わらず、対応関係が非線形であるＫ色成分入りのデータ（ＲＧＢデータ及びＬａｂデータ）と一緒にして色変換情報を作成することで、Ｋ色成分無しのＲＧＢデータをＬａｂデータに変換するための色変換情報も精度が低下してしまう。
【００４９】
そこで、第１実施形態のように、線形性の対応関係を有するＫ色成分無しのデータ（ＲＧＢデータ及びＬａｂデータ）と、非線形性の対応関係を有するＫ色成分入りのデータ（ＲＧＢデータ及びＬａｂデータ）と、を区別し、Ｋ色成分無しのデータによってＫ無し色変換情報を作成することで、Ｋ無し色変換情報の精度の低下が防止又は軽減される。一方、Ｋ入り色変換情報の精度は、Ｋ無し色変換情報の精度よりも低下するが、Ｋ無し色変換情報の精度が向上する分、色変換情報の全体の精度が向上する。
【００５０】
なお、特定色成分はＫ色成分に限定されるものではなく、ＲＧＢデータとＬａｂデータとの対応関係が非線形になる色成分であればよい。特定色成分がＫ色成分以外の色成分であっても、線形性の対応関係を有する特定色成分無しのデータ（ＲＧＢデータ及びＬａｂデータ）と、非線形性の対応関係を有する特定色成分入りのデータ（ＲＧＢデータ及びＬａｂデータ）と、を区別し、それぞれのデータに基づいて色変換情報を作成することで、データを区別しない場合と比較して、色変換情報の全体の精度が向上する。
【００５１】
また、複数の特定色成分の色材によってカラーパッチが形成されている場合、画像処理装置１０は、３つ以上の色変換情報を作成してもよい。この場合も、画像処理装置１０は、特定色成分入りの色変換情報と、特定色成分無しの各色変換情報と、を作成する。例えば、ＣＭＹＫＷの色材によってカラーパッチが形成されている場合、画像処理装置１０は、ＫＷ入りのデータ（ＲＧＢデータ及びＬａｂデータ）と、Ｋ無しのデータ（ＲＧＢデータ及びＬａｂデータ）と、Ｗ無しのデータ（ＲＧＢデータ及びＬａｂデータ）と、を区別し、それぞれのデータに基づき、ＫＷ入りの色変換情報と、Ｋ無しの色変換情報と、Ｗ無しの色変換情報と、を作成する。また、画像処理装置１０は、ＫＷ無しのデータ（ＲＧＢデータ及びＬａｂデータ）に基づいて、ＫＷ無しの色変換情報を作成してもよい。このように、３つ以上の色変換情報が作成された場合であっても、データを区別しないで作成された色変換情報と比較して、特定色成分無しの色変換情報の精度が向上するため、色変換情報の全体の精度が向上する。
【００５２】
次に、Ｋ入り色変換情報及びＫ無し色変換情報を用いて色変換を行う色変換装置について説明する。図４に、第１実施形態に係る画像処理装置（色変換装置）の一例を示す。第１実施形態に係る画像処理装置３０（色変換装置）は、デバイス依存色空間上のデータ（ＲＧＢデータ）を、Ｋ入り色変換情報又はＫ無し色変換情報を用いることで、デバイス非依存色空間上のデータ（Ｌａｂデータ）に変換する。第１実施形態では、一例として、画像処理装置３０は、評価用チャート１１０を読み取ることで生成されたＲＧＢデータを、Ｌａｂデータに変換する場合について説明する。なお、画像処理装置３０は、画像処理装置１０に含まれていてもよいし、画像読取装置２０に含まれていてもよい。
【００５３】
まず、評価用チャート１１０について説明する。評価用チャート１１０には、複数のカラーパッチが形成されている。各カラーパッチは、図示しないプリンタ等の画像形成装置によって形成されたものであり、ＣＭＹＫの任意の組み合わせに応じた画像である。例えば、画像形成装置は、ＣＭＹＫの各色成分の量を０〜１００％の間で変えて印刷することで、複数のカラーパッチを形成する。望ましくは、評価用チャート１１０の印刷時における元データの一部（Ｋ色成分情報）を利用してチャートレイアウト情報が事前に生成され、チャートレイアウト情報がチャートデータ記憶部３１に記憶される。この場合、画像データ（例えばＲＧＢデータ）をＬａｂデータに変換する際に、当該画像データについてのＫ色成分情報を参照することで、Ｋ色成分の有無が判定され、その判定結果に応じて、当該画像データの変換で使用される変換情報が選択される。なお、評価用チャート１１０は、特性把握チャート１００と同じものであってもよいし、異なるものであってもよい。
【００５４】
画像読取装置２０は、評価用チャート１１０に形成された各カラーパッチを読み取ることで各カラーパッチの画像データ（ＲＧＢデータ）を生成する。
【００５５】
第１実施形態に係る画像処理装置３０は、チャートデータ記憶部３１と、画像データ受付部３２と、特定色量判定部３３と、色変換部３４とを含む。
【００５６】
チャートデータ記憶部３１は、チャートレイアウト情報を記憶する。このチャートレイアウト情報は、評価用チャート１１０の各カラーパッチについての特定色成分の有無を示す情報、又は、各カラーパッチについての特定色成分の量を示す情報である。第１実施形態では、特定色成分は一例としてＫ色成分である。但し、特定色成分はＫ色成分に限らず、他の色成分であってもよい。
【００５７】
画像データ受付部３２は、画像読取装置２０によって生成された、各カラーパッチの画像データ（ＲＧＢデータ）を受け付ける。
【００５８】
特定色量判定部３３は、チャートデータ記憶部３１に記憶されたチャートレイアウト情報を参照することで、画像データ受付部３２によって取得されたＲＧＢデータ（カラーパッチ）について、Ｋ色成分の有無を判定する。
【００５９】
色変換部３４は、Ｋ色成分の有無に応じた色変換情報に基づいて、画像データ受付部３２によって取得されたＲＧＢデータをＬａｂデータに変換する。例えば、画像データ受付部３２によって取得されたＲＧＢデータが、Ｋ色成分入りのカラーパッチの画像データである場合、色変換部３４は、Ｋ入り色変換情報を色変換情報記憶部１７から取得し、Ｋ入り色変換情報を用いてＲＧＢデータをＬａｂデータに変換する。一方、画像データ受付部３２によって取得されたＲＧＢデータが、Ｋ色成分無しのカラーパッチの画像データである場合、色変換部３４は、Ｋ無し色変換情報を色変換情報記憶部１７から取得し、Ｋ無し色変換情報を用いてＲＧＢデータをＬａｂデータに変換する。
【００６０】
次に、図５及び図６に示すフローチャートを参照して、第１実施形態に係る画像処理装置３０（色変換装置）の動作について説明する。
【００６１】
まず、画像読取装置２０が、評価用チャート１１０に形成された各カラーパッチを読み取ることで、各カラーパッチのＲＧＢデータを生成する（Ｓ１０）。画像データ受付部３２は、各カラーパッチのＲＧＢデータを画像読取装置２０から取得する。
【００６２】
特定色量判定部３３は、チャートレイアウト情報を参照することで、ＲＧＢデータ（カラーパッチ）について、Ｋ色成分の有無を判定する（Ｓ１１）。
【００６３】
カラーパッチにＫ色成分が含まれている場合（Ｓ１２，Ｙｅｓ）、色変換部３４は、Ｋ入り色変換情報を用いて当該カラーパッチのＲＧＢデータをＬａｂデータに変換する（Ｓ１３）。一方、カラーパッチにＫ色成分が含まれていない場合（Ｓ１２，Ｎｏ）、色変換部３４は、Ｋ無し色変換情報を用いて当該カラーパッチのＲＧＢデータをＬａｂデータに変換する（Ｓ１４）。
【００６４】
以上のように、カラーパッチについてのＫ色成分の有無に応じて、Ｋ入り色変換情報とＫ無し色変換情報とを切り替えて変換を行うことで、Ｋ色成分入りのデータとＫ色成分無しのデータとを区別せずに作成された色変換情報を用いて変換を行う場合と比較して、変換の精度が向上する。すなわち、Ｋ色成分無しのＲＧＢデータをＫ無し色変換情報を用いてＬａｂデータに変換することで、Ｋ色成分入りのデータとＫ色成分無しのデータとを区別せずに作成された色変換情報を用いてＫ色成分無しのＲＧＢデータをＬａｂデータに変換する場合と比較して、Ｋ色成分無しのＲＧＢデータからＬａｂデータへの変換の精度が向上するので、その分、変換の全体の精度が向上する。
【００６５】
なお、上述した第１実施形態に係る画像処理装置１０（色変換情報作成装置）は、カラーパッチについてのＫ色成分の有無に応じて、ＲＧＢデータ及びＬａｂデータを分類しているが、別の例として、カラーパッチの明度（Ｌ＊）に応じて、ＲＧＢデータ及びＬａｂデータを分類してもよい。この場合も、画像処理装置１０は、分類後のデータに基づいて色変換情報を作成する。例えば、画像処理装置１０は、カラーパッチの明度Ｌ＊が予め設定された閾値以上であるデータ（ＲＧＢデータ及びＬａｂデータ）と、カラーパッチの明度Ｌ＊が閾値未満であるデータ（ＲＧＢデータ及びＬａｂデータ）と、を区別し、分類後のそれぞれのデータに基づいて、それぞれ色変換情報を作成してもよい。そして、画像処理装置３０（色変換装置）は、カラーパッチの明度Ｌ＊に応じた色変換情報を選択してデータを変換する。
【００６６】
次に、第１実施形態に係る画像処理装置３０の適用例について説明する。まず、第１適用例について説明する。第１適用例では、第１実施形態に係る画像処理装置３０は、印刷シミュレーションを実行するときの測色器として用いられる。プリンタによって用紙上に形成された画像の色が、印刷機によって印刷された画像の色に近くなるように、画像データの色に関する情報（色情報）を補正するために、印刷シミュレーションが実行される。例えば、印刷機によって印刷を開始する前に、プリンタを用いて画像の色を確認する場合等に、印刷シミュレーションが実行される。プリンタによって形成された画像の色が、印刷機によって印刷された画像の色に近くなっているのか、プリンタによって形成された画像の色を測色器によって測色し、測色値（例えばＬａｂデータ）に基づいて評価することが望ましい。しかしながら、測色器は高価であったり、測定時間が長くなったりするため、その評価を行うことが制限されてしまう。そこで、第１実施形態に係る画像処理装置３０を用いることで、測色器を用いる場合と比較して、簡易かつ短時間で測色が行われる。また、カラーパッチについてのＫ色成分の有無に応じて、Ｋ入り色変換情報とＫ無し色変換情報とを切り替えて変換を行うことで、変換精度の低下が防止される。
【００６７】
例えば、印刷シミュレーションを実行する場合、プリンタによって複数のカラーパッチを用紙上に形成することで評価用チャート１１０を作成し、当該評価用チャート１１０の複数のカラーパッチを画像読取装置２０によって読み取り、画像処理装置３０（色変換装置）によって、各カラーパッチのＲＧＢデータをＬａｂデータに変換する。このＬａｂデータと基準値との差分が閾値以上の場合、Ｌａｂデータと基準値との差分が小さくなるように、色情報を補正するためのプロファイルの調整を促したり、プロファイルを自動で調整したり、プリンタの制御パラメータを調整したりする。また、印刷機によって複数のカラーチャートを印刷することで評価用チャート１１０を作成し、当該評価用チャート１１０の複数のカラーパッチを画像読取装置２０によって読み取り、画像処理装置３０によって、各カラーパッチのＲＧＢデータをＬａｂデータに変換してもよい。この場合も、プリンタによって形成された評価用チャート１１０のＬａｂデータと、印刷機によって印刷された評価用チャート１１０のＬａｂデータと、の差分が閾値以上であれば、差分を小さくするための処理を実行する。このように、画像読取装置２０と画像処理装置３０とが測色器として機能するので、測色器を別途用意せずに済む。
【００６８】
次に、第２適用例について説明する。プリンタによって形成される画像の色は、プリンタの稼働日数等によって変動する場合があるので、その色の変動を管理することがある。この場合、当該プリンタによって形成されたカラーパッチを画像読取装置２０によって読み取り、第１実施形態に係る画像処理装置３０（色変換装置）を用いてＬａｂデータを生成することで、第１実施形態を用いない場合と比較して、色の変動が簡易に管理される。
【００６９】
次に、第３適用例について説明する。プリンタによって同じ色の画像を用紙上に形成した場合であっても、用紙上の両端部で色が異なることがある。例えば、一方の端部よりも反対側の端部の方が、色が濃くなる場合がある。この場合、用紙上の画像を画像読取装置２０によって読み取り、第１実施形態に係る画像処理装置３０（色変換装置）を用いることで、用紙の中心部分に形成された画像のＬａｂデータと、端部に形成された画像のＬａｂデータと、を求める。そして、中心部分の画像のＬａｂデータと端部の画像のＬａｂデータとの差を求め、両端部の色の差が小さくなるように、プリンタの制御パラメータを調整する。このように、第１実施形態によると、第１実施形態を用いない場合と比較して、色の差が簡易に測定される。
【００７０】
なお、上述した画像処理装置１０，３０は、一例としてハードウェア資源とソフトウェアとの協働により実現される。具体的には、画像処理装置１０，３０は、図示しないＣＰＵ等のプロセッサを備えている。当該プロセッサが、図示しない記憶装置に記憶されたプログラムを読み出して実行することにより、画像処理装置１０，３０のそれぞれの機能が実現される。上記プログラムは、ＣＤやＤＶＤ等の記憶媒体を経由して、又は、ネットワーク等の通信手段を経由して、記憶装置に記憶される。
【００７１】
［第２実施形態］
次に、本発明の第２実施形態について説明する。図７に、本発明の第２実施形態に係る画像処理装置（色変換情報作成装置）の一例を示す。第２実施形態に係る画像処理装置４０（色変換情報作成装置）は、デバイス依存色空間上のデータを、デバイス非依存色空間上のデータに変換するための色変換情報を作成する。
【００７２】
第１実施形態と同様に、画像読取装置２０は、特性把握チャート１００に形成された各カラーパッチを読み取ることで各カラーパッチの画像データ（ＲＧＢデータ）を生成する。また、測色器２１は、特性把握チャート１００に形成された各カラーパッチを測色し、各カラーパッチの測色値（Ｌａｂデータ）を出力する。
【００７３】
第２実施形態に係る画像処理装置４０は、チャートデータ記憶部４１と、画像データ受付部４２と、測定データ受付部４３と、特定色量判定部４４と、データ分類部４５と、色変換情報作成部４６と、精度評価部４７と、統合部４８と、色変換情報記憶部４９とを含む。なお、画像処理装置４０は、画像読取装置２０に含まれていてもよい。
【００７４】
チャートデータ記憶部４１は、第１実施形態に係るチャートデータ記憶部１１と同様に、特性把握チャート１００のチャートレイアウト情報を記憶する。なお、第２実施形態においても、特定色成分は、一例としてブラック成分（Ｋ色成分）であるが、第１実施形態と同様に、特定色成分はＫ色成分に限られるものではない。
【００７５】
画像データ受付部４２は、画像読取装置２０によって生成された、各カラーパッチの画像データ（ＲＧＢデータ）を受け付ける。
【００７６】
測定データ受付部４３は、測色器２１によって測定された、各カラーパッチの測定データ（Ｌａｂデータ）を受け付ける。
【００７７】
特定色量判定部４４は、第１実施形態に係る特定色量判定部１４と同様に、チャートデータ記憶部１１に記憶されたチャートレイアウト情報を参照することで、ＲＧＢデータ及びＬａｂデータ（カラーパッチ）について、Ｋ色成分の有無を判定する。
【００７８】
データ分類部４５は、第１実施形態に係るデータ分類部１５と同様に、Ｋ色成分の有無に応じて、各カラーパッチのＲＧＢデータ及びＬａｂデータを分類する。
【００７９】
色変換情報作成部４６は、Ｋ色成分入りの複数のＲＧＢデータとＫ色成分入りの複数のＬａｂデータとに基づいて、ＲＧＢデータをＬａｂデータに変換するためのＫ入り色変換モデル（第１色変換モデル）を作成し、そのＫ入り色変換モデルに基づいて、ＲＧＢデータをＬａｂデータに変換するためのＫ入りルックアップテーブル（Ｋ入りＬＵＴ：第１ＬＵＴ）を作成する。また、色変換情報作成部４６は、Ｋ色成分無しの複数のＲＧＢデータとＫ色成分無しの複数のＬａｂデータとに基づいて、ＲＧＢデータをＬａｂデータに変換するためのＫ無し色変換モデル（第２色変換モデル）を作成し、そのＫ無し色変換モデルに基づいて、ＲＧＢデータをＬａｂデータに変換するためのＫ無しルックアップテーブル（Ｋ無しＬＵＴ：第２ＬＵＴ）を作成する。
【００８０】
精度評価部４７は、同一色の画像データをＫ入りＬＵＴ及びＫ無しＬＵＴのそれぞれによって変換し、変換によって生成された各データに基づいて、Ｋ入ＬＵＴ及びＫ無しＬＵＴを評価する。例えば、精度評価部４７は、特性把握チャート１００のカラーパッチのＲＧＢデータを、Ｋ入りＬＵＴによって変換することで生成されたＬａｂデータと、当該カラーパッチを測色器２１によって測色することで得られたＬａｂデータと、の差分（第１差分）を求める。また、精度評価部４７は、特性把握チャート１００のカラーパッチのＲＧＢデータを、Ｋ無しＬＵＴによって変換することで生成されたＬａｂデータと、当該カラーパッチを測色器２１によって測色することで生成されたＬａｂデータと、の差分（第２差分）を求める。そして、精度評価部４７は、第１差分と第２差分とを比較し、Ｋ入りＬＵＴ及びＫ無しＬＵＴのうち差分が小さいＬＵＴ（変換パラメータ）を、当該カラーパッチについてのＬＵＴ（変換パラメータ）として選択する。精度評価部４７は、特性把握チャート１００の各カラーパッチについて第１差分及び第２差分を求め、カラーパッチ毎にＫ入りＬＵＴ又はＫ無しＬＵＴのいずれかを選択する。
【００８１】
統合部４８は、精度評価部４７によって選択された、カラーパッチ毎のＫ入りＬＵＴ及びＫ無しＬＵＴを統合（マージ）することで、統合色変換情報としての統合ＬＵＴを作成する。統合部４８は、Ｋ入りＬＵＴ及びＫ無しＬＵＴのそれぞれの格子点における値を重み付け加算することで、各格子点の値を決定してもよいし、統合ＬＵＴの各格子点の値をスムージング処理してもよし、平均処理を行ってもよい。
【００８２】
色変換情報記憶部４９は、統合色変換情報（統合ＬＵＴ）を記憶する。
【００８３】
次に、図８及び図９に示すフローチャートを参照して、第２実施形態に係る画像処理装置４０（色変換情報作成装置）の動作について説明する。
【００８４】
まず、画像読取装置２０が、特性把握チャート１００に形成された各カラーパッチを読み取ることで、各カラーパッチのＲＧＢデータを生成する（Ｓ２０）。画像データ受付部４２は、各カラーパッチのＲＧＢデータを画像読取装置２０から取得する。
【００８５】
また、測色器２１が、特性把握チャート１００に形成された各カラーパッチを測色する（Ｓ２１）。測定データ受付部４３は、各カラーパッチのＬａｂデータを測色器２１から取得する。
【００８６】
特定色量判定部４４は、チャートレイアウト情報を参照することで、ＲＧＢデータ及びＬａｂデータ（カラーパッチ）について、Ｋ色成分の有無を判定する（Ｓ２２）。カラーパッチにＫ色成分が含まれている場合（Ｓ２３，Ｙｅｓ）、データ分類部４５は、当該カラーパッチのＲＧＢデータ及びＬａｂデータを、Ｋ色成分入りのグループに分類する（Ｓ２４）。カラーパッチにＫ色成分が含まれていない場合（Ｓ２３，Ｎｏ）、データ分類部４５は、当該カラーパッチのＲＧＢデータ及びＬａｂデータを、Ｋ色成分無しのグループに分類する（Ｓ２５）。画像処理装置４０は、画像読取装置２０によって読み取られた全カラーパッチについて、ステップＳ２２〜Ｓ２５の処理を行う。
【００８７】
全カラーパッチについてステップＳ２２〜Ｓ２５の処理が終了した場合（Ｓ２６，Ｙｅｓ）、色変換情報作成部４６は、Ｋ色成分入りの複数のＲＧＢデータとＫ色成分入りの複数のＬａｂデータとに基づいて、ＲＧＢデータをＬａｂデータに変換するためのＫ入りＬＵＴ（第１ＬＵＴ）を作成する（Ｓ２７）。また、色変換情報作成部４６は、Ｋ色成分無しの複数のＲＧＢデータとＫ色成分無しの複数のＬａｂデータとに基づいて、ＲＧＢデータをＬａｂデータに変換するためのＫ無しＬＵＴ（第２ＬＵＴ）を作成する（Ｓ２７）。
【００８８】
そして、精度評価部４７は、カラーパッチ毎にＫ入りＬＵＴ及びＫ無しＬＵＴを評価することで、カラーパッチ毎にＫ入りＬＵＴ又はＫ無しＬＵＴのいずれかを選択する（Ｓ２８）。
【００８９】
ここで、図１０に示すフローチャートを参照して、精度評価部４７の処理について説明する。まず、測色器２１が、特性把握チャート１００に形成されたカラーパッチを測色することで、当該カラーパッチのＬａｂデータ（測色Ｌａｂデータ）を生成する（Ｓ３０）。なお、カラーパッチが既に測色されている場合、ステップＳ３０の処理を行わなくてもよい。また、画像読取装置２０が、当該カラーパッチを読み取ることで当該カラーパッチのＲＧＢデータを生成する（Ｓ３１）。なお、カラーパッチが既に読み取られてＲＧＢデータが生成されている場合、ステップＳ３１の処理を行わなくてもよい。
【００９０】
精度評価部４７は、Ｋ入りＬＵＴを用いて当該カラーパッチのＲＧＢデータをＬａｂデータ（Ｋ入りＬａｂデータ）に変換する（Ｓ３２）。そして、精度評価部４７は、Ｋ入りＬａｂデータと測色Ｌａｂデータとの差分（第１差分）を求める（Ｓ３３）。
【００９１】
また、精度評価部４７は、Ｋ無しＬＵＴを用いて当該カラーパッチのＲＧＢデータをＬａｂデータ（Ｋ無しＬａｂデータ）に変換する（Ｓ３４）。そして、精度評価部４７は、Ｋ無しＬａｂデータと測色Ｌａｂデータとの差分（第２差分）を求める（Ｓ３５）。
【００９２】
そして、精度評価部４７は、第１差分と第２差分とを比較し、Ｋ入りＬＵＴ及びＫ無しＬＵＴのうち差分が小さいＬＵＴ（変換パラメータ）を、当該カラーパッチについてのＬＵＴ（変換パラメータ）として選択する（Ｓ３６）。精度評価部４７は、各カラーパッチについてＫ入りＬＵＴ及びＫ無しＬＵＴの評価を行い、カラーパッチ毎にＫ入りＬＵＴ又はＫ無しＬＵＴのいずれかを選択する。
【００９３】
次に、図８及び図９に戻って説明すると、統合部４８は、精度評価部４７によって選択された、カラーパッチ毎のＫ入りＬＵＴ及びＫ無しＬＵＴを統合することで、統合ＬＵＴを作成する（Ｓ２９）。このとき、統合部４８は、Ｋ入りＬＵＴ及びＫ無しＬＵＴについて重み付け加算、平均処理又はスムージング処理等を行うことで、統合ＬＵＴを作成してもよい。
【００９４】
以上のように、Ｋ入りＬＵＴとＫ無しＬＵＴとに対する評価結果に基づいてＫ入りＬＵＴとＫ無しＬＵＴとを統合することで、Ｋ色成分の有無を意識することなく利用される色変換情報が作成される。また、第１実施形態と同様に、Ｋ色成分入りのデータ（ＲＧＢデータ及びＬａｂデータ）と、Ｋ色成分無しのデータ（ＲＧＢデータ及びＬａｂデータ）と、を区別し、色変換情報としてのＫ入りＬＵＴとＫ無しＬＵＴとを別々に作成することで、それらのデータを一緒にしてＬＵＴを作成する場合と比較して、より精度が高いＬＵＴが作成される。第２実施形態では、Ｋ入りＬＵＴとＫ無しＬＵＴとを評価し、評価結果が高いＬＵＴを採用しているので、より精度の高いＬＵＴが作成される。
【００９５】
なお、第１実施形態と同様に、特定色成分はＫ色成分に限定されるものではなく、ＲＧＢデータとＬａｂデータとの対応関係が非線形となる色成分であればよい。また、複数の特定色成分の色材によってカラーパッチが形成されている場合、画像処理装置４０は、３つ以上の色変換情報を作成してもよい。
【００９６】
次に、統合ＬＵＴを用いて色変換を行う色変換装置について説明する。図１１に、第２実施形態に係る画像処理装置（色変換装置）の一例を示す。第２実施形態に係る画像処理装置５０（色変換装置）は、画像データ受付部５１と色変換部５２とを含み、デバイス依存色空間上のデータを、統合ＬＵＴを用いることでデバイス非依存色空間上のデータに変換する。第２実施形態では、一例として、画像処理装置５０は、評価用チャート１１０を読み取ることで生成されたＲＧＢデータを、Ｌａｂデータに変換する場合について説明する。なお、画像処理装置５０は、画像処理装置４０に含まれていてもよいし、画像読取装置２０に含まれていてもよい。
【００９７】
第１実施形態と同様に、画像読取装置２０は、評価用チャート１１０に形成された各カラーパッチを読み取ることで各カラーパッチの画像データ（ＲＧＢデータ）を生成する。
【００９８】
画像データ受付部５１は、画像読取装置２０によって生成された、各カラーパッチの画像データ（ＲＧＢデータ）を受け付ける。色変換部５２は、統合ＬＵＴを用いてＲＧＢデータをＬａｂデータに変換する。第２実施形態では、Ｋ色成分の有無に関わらず、統合ＬＵＴを用いて色変換を行う。
【００９９】
次に、図１２に示すフローチャートを参照して、第２実施形態に係る画像処理装置５０（色変換装置）の動作について説明する。
【０１００】
まず、画像読取装置２０が、評価用チャート１１０に形成された各カラーパッチを読み取ることで、各カラーパッチのＲＧＢデータを生成する（Ｓ４０）。画像データ受付部５１は、各カラーパッチのＲＧＢデータを画像読取装置２０から取得する。そして、色変換部５２は、統合ＬＵＴを用いて各カラーパッチのＲＧＢデータをＬａｂデータに変換する（Ｓ４１）。
【０１０１】
以上のように、Ｋ入りＬＵＴとＫ無しＬＵＴとが統合された統合ＬＵＴを用いることで、カラーパッチについてＫ色成分の有無を意識することなく、データが変換される。すなわち、カラーパッチについてのＫ色成分の有無に応じてＬＵＴを切り替える必要がないので、より簡易にデータ変換が行われる。また、Ｋ入りＬＵＴとＫ無しＬＵＴとを評価し、評価結果が高いＬＵＴによって作成された統合ＬＵＴを用いてデータを変換することで、Ｋ色成分入りのデータ（ＲＧＢデータ及びＬａｂデータ）とＫ色成分無しのデータ（ＲＧＢデータ及びＬａｂデータ）とを区別せずに作成された色変換情報を用いて変換する場合と比較して、変換の精度が向上する。
【０１０２】
なお、第２実施形態に係る画像処理装置４０は、第１実施形態と同様に、カラーパッチの明度（Ｌ＊）に応じてＲＧＢデータ及びＬａｂデータを分類し、分類後のデータに基づいて色変換情報を作成してもよい。
【０１０３】
また、第２実施形態に係る画像処理装置５０を用いて、第１実施形態で説明した第１〜第３適用例を実施してもよい。第２実施形態に係る画像処理装置５０を用いた場合も、第１実施形態と同様の効果が得られる。
【０１０４】
なお、上述した画像処理装置４０，５０は、一例としてハードウェア資源とソフトウェアとの協働により実現される。具体的には、画像処理装置４０，５０は、図示しないＣＰＵ等のプロセッサを備えている。当該プロセッサが、図示しない記憶装置に記憶されたプログラムを読み出して実行することにより、画像処理装置４０，５０のそれぞれの機能が実現される。上記プログラムは、ＣＤやＤＶＤ等の記憶媒体を経由して、又は、ネットワーク等の通信手段を経由して、記憶装置に記憶される。
【０１０５】
［第３実施形態］
次に、本発明の第３実施形態について説明する。図１３に、本発明の第３実施形態に係る画像処理装置（色変換情報作成装置）の一例を示す。第３実施形態に係る画像処理装置６０（色変換情報作成装置）は、デバイス依存色空間上のデータを、デバイス非依存色空間上のデータに変換するための色変換情報を作成する。
【０１０６】
第１実施形態と同様に、画像読取装置２０は、特性把握チャート１００に形成された各カラーパッチを読み取ることで各カラーパッチの画像データ（ＲＧＢデータ）を生成する。また、測色器２１は、特性把握チャート１００に形成された各カラーパッチを測色し、各カラーパッチの測色値（Ｌａｂデータ）を出力する。
【０１０７】
第３実施形態に係る画像処理装置６０は、チャートデータ記憶部６１と、画像データ受付部６２と、測定データ受付部６３と、色変換情報作成部６４と、色変換情報記憶部６５とを含む。なお、画像処理装置６０は、画像読取装置２０に含まれていてもよい。
【０１０８】
チャートデータ記憶部６１は、特性把握チャート１００の各カラーパッチについての特定色成分の量を示すチャートレイアウト情報を記憶する。なお、第３実施形態においても、特定色成分は、一例としてブラック成分（Ｋ色成分）であるが、第１実施形態と同様に、特定色成分はＫ色成分に限られるものではない。
【０１０９】
画像データ受付部６２は、画像読取装置２０によって生成された、各カラーパッチの画像データ（ＲＧＢデータ）を受け付ける。
【０１１０】
測定データ受付部６３は、測色器２１によって測定された、各カラーパッチの測定データ（Ｌａｂデータ）を受け付ける。
【０１１１】
色変換情報作成部６４は、画像データ受付部６２によって取得されたＲＧＢデータ（カラーパッチ）についてのＫ色成分の量を示す情報（Ｋデータ）を、チャートデータ記憶部６１から取得する。色変換情報作成部６４は、当該ＲＧＢデータに当該Ｋデータを追加することで、ＲＧＢＫデータを生成する。色変換情報作成部６４は、各カラーパッチについてＲＧＢＫデータを生成する。そして、色変換情報作成部６４は、複数のＲＧＢＫデータと複数のＬａｂデータとに基づいて、ＲＧＢＫデータをＬａｂデータに変換するためのＲＧＢＫ色変換情報（第３色変換情報）を作成する。ＲＧＢＫ色変換情報は、ＲＧＢＫデータとＬａｂデータとの間の変換特性を示す関数（色変換モデル）であってもよいし、ＬＵＴ等のテーブルであってもよい。
【０１１２】
色変換情報記憶部６５は、ＲＧＢＫ色変換情報を記憶する。
【０１１３】
次に、図１４及び図１５に示すフローチャートを参照して、第３実施形態に係る画像処理装置６０（色変換情報作成装置）の動作について説明する。
【０１１４】
まず、画像読取装置２０が、特性把握チャート１００に形成された各カラーパッチを読み取ることで、各カラーパッチのＲＧＢデータを生成する（Ｓ５０）。画像データ受付部６２は、各カラーパッチのＲＧＢデータを画像読取装置２０から取得する。
【０１１５】
また、測色器２１が、特性把握チャート１００に形成された各カラーパッチを測色する（Ｓ５１）。測定データ受付部６３は、各カラーパッチのＬａｂデータを測色器２１から取得する。
【０１１６】
色変換情報作成部６４は、カラーパッチについてのＫ色成分の量を示すＫデータを、チャートデータ記憶部６１から取得し、当該カラーパッチのＲＧＢデータに当該Ｋデータを追加することで、ＲＧＢＫデータを生成する（Ｓ５２）。色変換情報作成部６４は、全カラーパッチについてＲＧＢＫデータを生成する。
【０１１７】
そして、色変換情報作成部６４は、複数のＲＧＢＫデータと複数のＬａｂデータとに基づいて、ＲＧＢＫデータをＬａｂデータに変換するためのＲＧＢＫ色変換情報を作成する（Ｓ５３）。色変換情報記憶部６５は、ＲＧＢＫ色変換情報を記憶する。
【０１１８】
以上のように、Ｋ色成分の量を示すＫデータをＲＧＢデータに追加してＲＧＢＫデータを生成し、ＲＧＢＫデータとＬａｂデータとに基づいてＲＧＢＫ色変換情報を作成することで、ＲＧＢＫ色変換情報にＫ色成分の量が反映されるので、ＲＧＢデータとＬａｂデータとに基づいて色変換情報を作成する場合と比較して、より精度の高い色変換情報が作成される。すなわち、Ｋ色成分をパラメータの１つとして用いることで、Ｋ色成分の量に応じたＬａｂデータが得られる色変換情報が作成される。
【０１１９】
次に、ＲＧＢＫ色変換情報を用いて色変換を行う色変換装置について説明する。図１６に、第３実施形態に係る画像処理装置７０（色変換装置）の一例を示す。第３実施形態に係る画像処理装置７０（色変換装置）は、デバイス依存色空間上のデータ（ＲＧＢデータ）にＫデータを追加することでＲＧＢＫデータを生成し、ＲＧＢＫ色変換情報を用いることで、ＲＧＢＫデータをデバイス非依存色空間上のデータ（Ｌａｂデータ）に変換する。第３実施形態では、一例として、画像処理装置７０は、評価用チャート１１０を読み取ることで生成されたＲＧＢデータにＫデータを追加し、ＲＧＢＫデータをＬａｂデータに変換する場合について説明する。なお、画像処理装置７０は、画像処理装置６０に含まれていてもよいし、画像読取装置２０に含まれていてもよい。
【０１２０】
第１実施形態と同様に、画像読取装置２０は、評価用チャート１１０に形成された各カラーパッチを読み取ることで各カラーパッチの画像データ（ＲＧＢデータ）を生成する。
【０１２１】
第３実施形態に係る画像処理装置７０は、チャートデータ記憶部７１と、画像データ受付部７２と、色変換部７３とを含む。
【０１２２】
チャートデータ記憶部７１は、評価用チャート１１０の各カラーパッチについての特定色成分の量を示すチャートレイアウト情報を記憶する。第３実施形態では、特定色成分は一例としてＫ色成分である。但し、特定色成分はＫ色成分に限らず、他の色成分であってもよい。
【０１２３】
画像データ受付部７２は、画像読取装置２０によって生成された、各カラーパッチの画像データ（ＲＧＢデータ）を受け付ける。
【０１２４】
色変換部７３は、画像データ受付部６２によって取得されたＲＧＢデータ（カラーパッチ）についてのＫ色成分の量を示すＫデータを、チャートデータ記憶部７１から取得する。そして、色変換部７３は、当該ＲＧＢデータに当該Ｋデータを追加することで、ＲＧＢＫデータを生成する。色変換部７３は、カラーチャート毎にＲＧＢデータにＫデータを追加することで、各カラーチャートについてＲＧＢＫデータを生成する。そして、色変換部７３は、ＲＧＢＫ色変換情報を用いることで、ＲＧＢＫデータをＬａｂデータに変換する。
【０１２５】
次に、図１７に示すフローチャートを参照して、第３実施形態に係る画像処理装置７０（色変換装置）の動作について説明する。
【０１２６】
まず、画像読取装置２０が、評価用チャート１１０に形成された各カラーパッチを読み取ることで、各カラーパッチのＲＧＢデータを生成する（Ｓ６０）。画像データ受付部７２は、各カラーパッチのＲＧＢデータを画像読取装置２０から取得する。
【０１２７】
色変換部７３は、ＲＧＢデータ（カラーパッチ）についてのＫ色成分の量を示すＫデータを、チャートデータ記憶部７１から取得する（Ｓ６１）。色変換部７３は、ＲＧＢデータにＫデータを追加することで、ＲＧＢＫデータを生成する。
【０１２８】
そして、色変換部７３は、ＲＧＢＫ色変換情報を用いてＲＧＢＫデータをＬａｂデータに変換する（Ｓ６２）。
【０１２９】
以上のように、ＲＧＢデータにＫデータを付加することでＲＧＢＫデータを生成し、Ｋ色成分の量が反映されたＲＧＢＫ色変換情報を用いてＲＧＢＫデータをＬａｂデータに変換することで、Ｋ色成分の量に応じたＬａｂデータが得られるので、ＲＧＢデータをＬａｂデータに変換する場合と比較して、変換の精度が向上する。すなわち、Ｋ色成分をパラメータの１つとして用いてデータ変換を行うことで、Ｋ色成分の量に応じたＬａｂデータが生成されるので、Ｋ色成分をパラメータとして用いずにデータ変換を行う場合と比較して、変換の精度が向上する。より詳しく説明すると、読み取りデータ（ＲＧＢデータ）に元データであるＫデータを付加することで、読み取りデータだけでは区別して表現困難な色まで明確に区別して表現される。このことは、読み取りデータの詳細化又は拡張であるといえる。すなわち、変換精度が高められることになる。
【０１３０】
また、第３実施形態に係る画像処理装置７０を用いて、第１実施形態で説明した第１〜第３適用例を実施してもよい。第３実施形態に係る画像処理装置７０を用いた場合も、第１実施形態と同様の効果が得られる。
【０１３１】
なお、上述した画像処理装置６０，７０は、一例としてハードウェア資源とソフトウェアとの協働により実現される。具体的には、画像処理装置６０，７０は、図示しないＣＰＵ等のプロセッサを備えている。当該プロセッサが、図示しない記憶装置に記憶されたプログラムを読み出して実行することにより、画像処理装置６０，７０のそれぞれの機能が実現される。上記プログラムは、ＣＤやＤＶＤ等の記憶媒体を経由して、又は、ネットワーク等の通信手段を経由して、記憶装置に記憶される。
【符号の説明】
【０１３２】
１０，３０，４０，５０，６０，７０  画像処理装置、１１，３１，４１，６１，７１  チャートデータ記憶部、１２，３２，４２，５１，６２，７２  画像データ受付部、１３，４３，６３  測定データ受付部、１４，３３，４４  特定色量判定部、１５，４５  データ分類部、１６，４６，６４  色変換情報作成部、１７，４９，６５  色変換情報記憶部、２０  画像読取装置、２１  測色器、３４，５２，７３  色変換部、４７  精度評価部、４８  統合部、１００  特性把握チャート、１１０  評価用チャート。
【図１】
2015073152.tif 000003
【図２】
2015073152.tif 000004
【図３】
2015073152.tif 000005
【図４】
2015073152.tif 000006
【図５】
2015073152.tif 000007
【図６】
2015073152.tif 000008
【図７】
2015073152.tif 000009
【図８】
2015073152.tif 000010
【図９】
2015073152.tif 000011
【図１０】
2015073152.tif 000012
【図１１】
2015073152.tif 000013
【図１２】
2015073152.tif 000014
【図１３】
2015073152.tif 000015
【図１４】
2015073152.tif 000016
【図１５】
2015073152.tif 000017
【図１６】
2015073152.tif 000018
【図１７】
2015073152.tif 000019